(57)【要約】【課題】内部アンテナと外部アンテナとの切り換えが容易なアンテナ用コネクタを提供する。【解決手段】コネクタ１０は、外部アンテナ３を突出するプラグ１と、可動コンタクト２ａ及び固定コンタクト２ｂで構成されるスイッチ２０が内部アンテナ４ｂに接続されたソケット２と、を備える。プラグ１は、外部アンテナ３の信号線と接続するピンコンタクト１１と、外部アンテナ３のグラウンドと接続する第１筒形コンタクト１２と、外殻を構成する第１シェル１３を有する。ソケット２は、ピンコンタクト１１が挿入されるハウジング２１と、第１筒形コンタクト１２に接触する第２筒形コンタクト２２と、第１シェルが挿入されて嵌合する第２シェル２３を有する。第１シェル１３は突起１３ｓを設け、第２シェル２３は、突起１３ｓを案内するらせん溝２３ｓを設け、プラグ１を所定角度回動して、スイッチ２０を切り換える。【選択図】図２
2009032604.tif 000002
【特許請求の範囲】
【請求項１】
外部アンテナを設けるプラグと内部アンテナと接続するスイッチが設けられたソケットとを離間困難に回転結合し、前記プラグの回転運動が進退運動に変換されるように、前記プラグと前記ソケットとでカム装置を構成して、前記外部アンテナを回動することにより前記スイッチを切り換えるアンテナ用コネクタ。
【請求項２】
軸方向と直交する方向に棒状の外部アンテナを突出するプラグと、
可動コンタクト及びこの可動コンタクトが弾性的に当接する固定コンタクトで構成されるスイッチを有し、このスイッチが内部アンテナに接続されたソケットと、を備え、
前記プラグは、前記外部アンテナの信号線と接続して軸方向に突出するピンコンタクトと、前記外部アンテナのグラウンドと接続して前記ピンコンタクトを同心円状に囲う第１筒形コンタクトと、この第１筒形コンタクトを絶縁可能に覆って外殻を構成する円筒状の第１シェルと、を有し、
前記ソケットは、前記ピンコンタクトが挿入される挿入孔を一方の面に開口し、前記可動コンタクト及び前記固定コンタクトを内部に配置する円筒状のハウジングと、このハウジングを同軸上に内装し、外周が前記第１筒形コンタクトの内周に接触する第２筒形コンタクトと、この第２筒形コンタクトを囲い前記第１シェルが挿入されて嵌合する円筒状の第２シェルと、を有し、
前記第１シェルは、軸方向と直交する方向に突出する一以上の突起を設け、
前記第２シェルは、前記突起を案内するらせん溝を設け、
前記プラグを所定角度回動すると、前記ピンコンタクトの先端部は前記可動コンタクトを前記固定コンタクトから離間する方向に変位させるアンテナ用コネクタ。
【請求項３】
前記一以上の突起は、相反する向きに突出する一対の突起からなり、前記らせん溝は対向するように一対に設けられる請求項２記載のアンテナ用コネクタ。
【請求項４】
前記第１シェルは、中心線に沿って半分に分割された半円弧状の第１及び第２分割円筒で構成される請求項２又は３記載のアンテナ用コネクタ。
【請求項５】
前記第２シェルは、中心線に沿って半分に分割された半円弧状の第３及び第４分割円筒で構成される請求項２から４のいずれかに記載のアンテナ用コネクタ。
【請求項６】
前記プラグは、前記外部アンテナを被覆してその中心線に沿って半分に分割された第１及び第２アンテナカバーを更に備え、
前記第１及び第２分割円筒は、前記第１及び第２アンテナカバーの一部を構成している請求項４記載のアンテナ用コネクタ。
【請求項７】
請求項１から６のいずれかに記載のアンテナ用コネクタを備える無線通信用のＰＣカード。
【請求項８】
請求項１から６のいずれかに記載のアンテナ用コネクタを備える携帯用の電子機器。
【発明の詳細な説明】
【技術分野】
【０００１】
本発明は、アンテナ用コネクタに関する。特に、アンテナ用コネクタの構造に関し、例えば、このアンテナ用コネクタは、ノート型パソコンなどに装着可能な無線ＬＡＮ（Ｌｏｃａｌ  Ａｒｅａ  Ｎｅｔｗｏｒｋ）用のＰＣカードと外部アンテナとを接続する。
【背景技術】
【０００２】
オフィスや家庭において、無線ＬＡＮの機器、例えばノート型のパーソナルコンピュータ（以下、ＰＣという）をブロードバンドルータにワイヤレス接続して、複数台のノート型ＰＣをインターネットにアクセスできる。このような無線通信の構成は、ノート型ＰＣを容易に移動できるというメリットがある。
【０００３】
携帯可能な小型電子機器であるノート型ＰＣやＰＤＡ（Ｐｅｒｓｏｎａｌ  Ｄｉｇｉｔａｌ  Ａｓｓｉｓｔａｎｔｓ）などは、無線電波を送受信するアンテナが筐体内部に設置されており、更に受信効率を良くするため、筐体にスイッチ機構付きのアンテナ用コネクタ（同軸コネクタ）を設けている。そして、このアンテナ用コネクタに外部アンテナを接続することにより、内部アンテナと外部アンテナとを切り換え可能とし、内部アンテナで無線電波を送受信することが難しい場合は、外部アンテナで無線電波が送受信される。
【０００４】
このようなアンテナ用コネクタとして、外部アンテナが接続されたプラグを筐体に設けられたソケットに挿入することにより、外部アンテナと内部アンテナとを切り換え可能なスイッチ付きアンテナ用コネクタが発明されている（例えば、特許文献１参照）。
【０００５】
特許文献１によるアンテナ用コネクタは、同軸ケーブルの一端にアンテナが接続され、同軸ケーブルの他端にプラグが接続されている。そして、このプラグがソケットに着脱される。プラグは、同軸ケーブルの内部導体に接続するピンコンタクトと、同軸ケーブルの外部導体に接続してピンコンタクトを取り囲む筒形コンタクトと、を備えている。
【０００６】
一方、ソケットは、ピンコンタクトと接続する可動コンタクトと、この可動コンタクトが弾性的に当接する固定コンタクトと、を有している。そして、これら可動コンタクトと固定コンタクトとが接触することにより、内部アンテナが機能するスイッチを構成している。
【０００７】
又、ソケットは、筒形コンタクトの内周及び外周に接触可能な一対のシェルと、これらのシェルが接地されるグラウンドパターンを設けるプリント基板と、このプリント基板に実装されて可動コンタクト及び固定コンタクトを内部に配置するハウジングと、を有している。そして、プラグをソケットに挿入すると、ピンコンタクトが可動コンタクトを固定コンタクトから離間させ、かつ可動コンタクトに接触して、外部アンテナに切り換わる。
【０００８】
一方、前述したノート型ＰＣやＰＤＡは、筐体に内部アンテナを含まない機種もある。近年では、このような機種のノート型ＰＣは、筐体に設けられスロットにチップアンテナ（内部アンテナ）を内蔵したＰＣカードを挿入することにより、無線電波を送受信できるようになっている。
【０００９】
図１０は、前述した内部アンテナを有するＰＣカードと外部アンテナとを接続した状態図である。図１０において、ＰＣカード７は、一端側に接続端子７ａを有し、他端側にスイッチ付きソケット７ｂを有し、チップアンテナ（図示せず）を内蔵している。又、同軸ケーブル８の一端にスタンド形の外部アンテナ８ａが接続され、同軸ケーブル８の他端にプラグ８ｂが接続されている。プラグ８ｂをスイッチ付きソケット７ｂに挿入することにより、内部アンテナから外部アンテナ８ａに切り換えることができる。
【特許文献１】特開２００４−３０４３１３号公報
【発明の開示】
【発明が解決しようとする課題】
【００１０】
従来のアンテナ用コネクタは、外部アンテナに接続するプラグをスイッチ付きソケットに挿抜入することにより、内部アンテナと外部アンテナとを切り換えている。しかし、プラグとスイッチ付きソケットとは、比較的強い力で嵌合しているので、プラグの抜き差しが容易でないという問題がある。
【００１１】
又、携帯可能な小型電子機器に適用されるアンテナ用コネクタということあれば、図１０に示されたような大型の外部アンテナを持ち運ぶことは、好ましくない。携帯可能な小型電子機器、又はＰＣカードに比較的小型の外部アンテナを直結すれば、持ち運ぶことができて便利であり、移動途中においても無線通信できる。そして、以上のことが本発明の課題といってよい。
【００１２】
本発明は、このような問題に鑑みてなされたものであり、内部アンテナと外部アンテナとの切り換えが容易であり、比較的短い棒状の外部アンテナを直結できるアンテナ用コネクタを提供することを目的とする。
【課題を解決するための手段】
【００１３】
本発明者は、外部アンテナを設けるプラグとスイッチ付きソケットとを離間困難に回転結合し、プラグの回転運動が進退運動に変換されるように、プラグとスイッチ付きソケットとでカム装置を構成して、ソケットに備わるスイッチを切り換えることを見出し、これに基づいて、以下のような新たなアンテナ用コネクタを発明するに至った。
【００１４】
（１）  外部アンテナを設けるプラグと内部アンテナと接続するスイッチが設けられたソケットとを離間困難に回転結合し、前記プラグの回転運動が進退運動に変換されるように、前記プラグと前記ソケットとでカム装置を構成して、前記外部アンテナを回動することにより前記スイッチを切り換えるアンテナ用コネクタ。
【００１５】
（１）の発明によるアンテナ用コネクタは、例えば、外部アンテナを立設した状態では、プラグとソケットとが相対的に近づいて、スイッチがオフ（断）になってよく、内部アンテナから外部アンテナに切り換えることができる。外部アンテナを倒置した状態では、プラグとソケットとが相対的に離反して、スイッチがオン（接）になってよく、外部アンテナから内部アンテナに切り換えることができる。
【００１６】
（１）の発明によるアンテナ用コネクタは、外部アンテナを設けるプラグとスイッチ付きソケットとを離間困難に回転結合し、プラグの回転運動が進退運動に変換されるように、プラグとスイッチ付きソケットとでカム装置を構成して、外部アンテナを回動することにより、ソケットに備わるスイッチを切り換えているので、内部アンテナと外部アンテナとの切り換えが容易であり、比較的短い棒状の外部アンテナを直結できるアンテナ用コネクタを提供できる。
【００１７】
（２）  軸方向と直交する方向に棒状の外部アンテナを突出するプラグと、可動コンタクト及びこの可動コンタクトが弾性的に当接する固定コンタクトで構成されるスイッチを有し、このスイッチが内部アンテナに接続されたソケットと、を備え、前記プラグは、前記外部アンテナの信号線と接続して軸方向に突出するピンコンタクトと、前記外部アンテナのグラウンドと接続して前記ピンコンタクトを同心円状に囲う第１筒形コンタクトと、この第１筒形コンタクトを絶縁可能に覆って外殻を構成する円筒状の第１シェルと、を有し、前記ソケットは、前記ピンコンタクトが挿入される挿入孔を一方の面に開口し、前記可動コンタクト及び前記固定コンタクトを内部に配置する円筒状のハウジングと、このハウジングを同軸上に内装し、外周が前記第１筒形コンタクトの内周に接触する第２筒形コンタクトと、この第２筒形コンタクトを囲い前記第１シェルが挿入されて嵌合する円筒状の第２シェルと、を有し、前記第１シェルは、軸方向と直交する方向に突出する一以上の突起を設け、前記第２シェルは、前記突起を案内するらせん溝を設け、前記プラグを所定角度回動すると、前記ピンコンタクトの先端部は前記可動コンタクトを前記固定コンタクトから離間する方向に変位させるアンテナ用コネクタ。
【００１８】
（２）の発明によるアンテナ用コネクタは、プラグとソケットを備えている。プラグは、軸方向と直交する方向に棒状の外部アンテナを突出している。ソケットは、可動コンタクト及びこの可動コンタクトが弾性的に当接する固定コンタクトで構成されるスイッチを有している。そして、このスイッチが内部アンテナに接続されている。
【００１９】
プラグは、ピンコンタクト、第１筒形コンタクト、及び円筒状の第１シェルを有している。ピンコンタクトは、外部アンテナの信号線と接続して軸方向に突出している。第１筒形コンタクトは、外部アンテナのグラウンドと接続しており、ピンコンタクトを同心円状に囲っている。第１シェルは、第１筒形コンタクトを絶縁可能に覆っており、外殻を構成している。
【００２０】
ソケットは、円筒状のハウジング、第２筒形コンタクト、及び円筒状の第２シェルを有している。ハウジングは、ピンコンタクトが挿入される挿入孔を一方の面に開口している。そして、ハウジングは、可動コンタクト及び固定コンタクトを内部に配置している。第２筒形コンタクトは、ハウジングを同軸上に内装している。又、第２筒形コンタクトの外周が第１筒形コンタクトの内周に接触する。第２シェルは、第２筒形コンタクトを囲い、第１シェルが挿入されて嵌合する。
【００２１】
第１シェルは、軸方向と直交する方向に突出する一以上の突起を設けている。第２シェルは、突起を案内するらせん溝を設けている。そして、プラグを所定角度回動すると、ピンコンタクトの先端部は、可動コンタクトを固定コンタクトから離間する方向に変位させる。
【００２２】
ここで、棒状の外部アンテナの軸中心とプラグの軸中心とは、直交してよく、外部アンテナの基端部とプラグの基端部とが例えば、接続金具で結合される。外部アンテナは、プラグに直結してよく、比較的短い同軸ケーブルを介して接続してよく、（２）の発明によるアンテナ用コネクタは、この同軸ケーブルも外部アンテナに含まれる。
【００２３】
可動コンタクトは、板ばねであってよく、薄板を均一な「ばね」特性が得られるような形状に折り曲げて作られたベローズコンタクトであってよい。可動コンタクトは、固定子と可動子とで構成されてよく、例えば、可動コンタクトの固定子は、プリント基板に「はんだ」接合されて固定されてもよい。そして、可動コンタクトの可動子が固定コンタクトに一定の接触圧を付与して、つまり可動コンタクトが弾性的に当接して、電気的に接続している。
【００２４】
固定コンタクトは、板体であってよく、基端部がプリント基板に「はんだ」接合されて固定されてよく、先端部に可動コンタクトの接点が付勢される。
【００２５】
可動コンタクト及び固定コンタクトは、導電性を有し、帯板に展開された導電性の金属薄板が成形されて、所望の形状のコンタクトを得ることができる。可動コンタクト及び固定コンタクトは、銅合金などの導電性や展伸性に優れた材料が好ましく用いられるが、銅合金に限定されない。
【００２６】
内部アンテナを使用するときは、可動コンタクトと固定コンタクトとが電気的に接続してよく、可動コンタクトが固定コンタクトに接触してオン状態になっている。可動コンタクトを固定コンタクトから離間する方向に変位させる力が作用すると、可動コンタクトが固定コンタクトと電気的に切り離されたオフ状態になる。このように、可動コンタクトと固定コンタクトとは、電気的なスイッチを構成している。
【００２７】
プラグは、高周波同軸コネクタであってよく、中心にあるピンコンタクトが絶縁体（誘電体）を介して第１筒形コンタクトで囲われている。ソケットは、高周波同軸コネクタであってよく、内部に配置された可動コンタクト及び固定コンタクトがハウジング（絶縁体）を介して第２筒形コンタクトで囲われている。第１及び第２筒形コンタクトは、一般的には、外部コンタクトとも呼ばれ、プラグとソケットとが結合及び接触することにより、中心にあるピンコンタクトを流れる高周波電流の漏洩を防止できる。
【００２８】
第１シェルは、プラグの外殻を構成してよく、例えば、後述するアンテナカバーの一部で構成してもよい。第２シェルは、ソケットの外殻を構成してよく、後述するＰＣカードのカバーの一部で構成してもよく、単独のシェルで構成して携帯用の電子機器に取り付けてもよい。
【００２９】
第１シェルに設けられる突起は、スタッドであってよく、第２シェルに設けられるらせん溝と連結して、プラグとソケットの結合を援助する。スタッドを利用してらせん溝に沿って（案内されて）、プラグとソケットとの結合を速やかに行う接続機構は、バヨネットカップリングと呼ばれ、限定した回動角度で相互にロック（係止）できる。
【００３０】
しかし、一般的な高周波同軸コネクタは、プラグをソケットに差し込んで一方の方向に回動することにより、接続する差し込み接続（バヨネットカップリング）である。そして、プラグを他方の方向に回動することによりソケットから離間できる。
【００３１】
一方、（２）の発明によるアンテナ用コネクタは、プラグはソケットから容易に離間しない。プラグは、ソケットに対してらせん運動のみが許容される。（２）の発明によるアンテナ用コネクタは、例えば、外部アンテナを立設した状態では、プラグとソケットとが相対的に近づいて、スイッチがオフ（断）になってよく、内部アンテナから外部アンテナに切り換えることができる。外部アンテナを倒置した状態では、プラグとソケットとが相対的に離反して、スイッチがオン（接）になってよく、外部アンテナから内部アンテナに切り換えることができる。
【００３２】
（２）の発明によるアンテナ用コネクタは、外部アンテナを設けるプラグとスイッチ付きソケットとを離間困難に回転結合し、プラグの回転運動が進退運動に変換されるように、プラグとスイッチ付きソケットとでバヨネットカップリングを構成して、ソケットに備わるスイッチを切り換えているので、内部アンテナと外部アンテナとの切り換えが容易であり、比較的短い棒状の外部アンテナを直結できるアンテナ用コネクタを提供できる。
【００３３】
（３）  前記一以上の突起は、相反する向きに突出する一対の突起からなり、前記らせん溝は対向するように一対に設けられる（２）記載のアンテナ用コネクタ。
【００３４】
（４）  前記第１シェルは、中心線に沿って半分に分割された半円弧状の第１及び第２分割円筒で構成される（２）又は（３）記載のアンテナ用コネクタ。
【００３５】
（５）  前記第２シェルは、中心線に沿って半分に分割された半円弧状の第３及び第４分割円筒で構成される（２）から（４）のいずれかに記載のアンテナ用コネクタ。
【００３６】
（６）  前記プラグは、前記外部アンテナを被覆してその中心線に沿って半分に分割された第１及び第２アンテナカバーを更に備え、前記第１及び第２分割円筒は、前記第１及び第２アンテナカバーの一部を構成している（４）記載のアンテナ用コネクタ。
【００３７】
（６）の発明によるアンテナ用コネクタは、プラグが外部アンテナを被覆するアンテナカバーを備えているので、外部アンテナが汚れないという効果がある。
【００３８】
（７）  （１）から（６）のいずれかに記載のアンテナ用コネクタを備える無線通信用のＰＣカード。
【００３９】
（８）  （１）から（６）のいずれかに記載のアンテナ用コネクタを備える携帯用の電子機器。
【発明の効果】
【００４０】
本発明によるアンテナ用コネクタは、外部アンテナを立設した状態では、プラグとソケットとが相対的に近づいて、可動コンタクトと固定コンタクトとで構成されるスイッチがオフになってよく、内部アンテナから外部アンテナに切り換えることができる。外部アンテナを倒置した状態では、プラグとソケットとが相対的に離反して、スイッチがオンになってよく、外部アンテナから内部アンテナに切り換えることができる。
【００４１】
本発明によるアンテナ用コネクタは、外部アンテナを設けるプラグとスイッチ付きソケットとを離間困難に回転結合し、プラグの回転運動が進退運動に変換されるように、プラグとスイッチ付きソケットとで接続装置を構成して、ソケットに備わるスイッチを切り換えているので、内部アンテナと外部アンテナとの切り換えが容易であり、比較的短い棒状の外部アンテナを直結できるアンテナ用コネクタを提供できる。
【発明を実施するための最良の形態】
【００４２】
以下、図面を参照して本発明を実施するための最良の形態を説明する。
【００４３】
図１は、本発明によるアンテナ用コネクタ（以下、コネクタと略称する）の一実施形態を示す斜視外観図である。図２は、前記実施形態によるコネクタの斜視分解組立図である。図３は、前記実施形態によるコネクタの斜視外観図であり、プラグとソケットが分離した状態図である。図４は、前記実施形態によるコネクタの要部を拡大した斜視外観図であり、プラグとソケットが分離した状態図である。図５は、前記実施形態によるコネクタの要部を拡大した斜視外観図であり、プラグとソケットが結合した状態図である。
【００４４】
図６は、前記実施形態によるコネクタの斜視外観図であり、外部アンテナが立設した状態図である。図７は、前記実施形態によるコネクタにおけるソケットの斜視分解組立図である。図８は、前記実施形態によるコネクタの要部横断面図であり、ソケットに備わるスイッチがオンの状態図である。図９は、前記実施形態によるコネクタの要部横断面図であり、ソケットに備わるスイッチがオフの状態図である。
【００４５】
最初に、本発明によるコネクタの構成を説明する。図１から図３において、コネクタ１０は、プラグ１とソケット２を備えている。プラグ１は、軸方向と直交する方向に棒状の外部アンテナ３を突出している。ソケット２は、可動コンタクト２ａ及び可動コンタクト２ａが弾性的に当接する固定コンタクト２ｂで構成されるスイッチ２０を有している。そして、スイッチ２０は、ＰＣカード４の内部に配置された内部アンテナ４ｂに接続されている（図７から図９参照）。
【００４６】
図２において、ソケット２は、ＰＣカード４の一端側に取り付けられている。ＰＣカード４の他端側には、接続端子４ａを設けている。そして、ＰＣカード４は、プリント基板４ｃを内装しており、プリント基板４ｃにチップアンテナからなる内部アンテナ４ｂが実装されている。内部アンテナ４ｂの信号線は、固定コンタクト２ｂにパターン接続している。又、ＰＣカード４に設けられた内部回路（例えば、無線回路）は、可動コンタクト２ａにパターン接続している。
【００４７】
図１から図３において、プラグ１は、ピンコンタクト１１、第１筒形コンタクト１２、及び円筒状の第１シェル１３を有している（図８及び図９参照）。ピンコンタクト１１は、外部アンテナ３の信号線と接続して軸方向に突出している。第１筒形コンタクト１２は、外部アンテナ３のグラウンドと接続しており、ピンコンタクト１１を同心円状に囲っている。第１シェル１３は、第１筒形コンタクト１２を絶縁可能に覆っており、外殻を構成している（図８及び図９参照）。
【００４８】
図７から図９において、ソケット２は、円筒状のハウジング２１、第２筒形コンタクト２２、及び円筒状の第２シェル２３を有している。ハウジング２１は、ピンコンタクト１１が挿入される挿入孔２１ａを一方の面に開口している。そして、ハウジング２１は、可動コンタクト２ａ及び固定コンタクト２ｂを内部に配置している。第２筒形コンタクト２２は、ハウジング２１を同軸上に内装している。又、第２筒形コンタクト２２の外周が第１筒形コンタクト１２の内周に接触する。第２シェル２３は、第２筒形コンタクト２２を囲い、第１シェル１３が挿入されて嵌合する（図３参照）。
【００４９】
図１から図４において、第１シェル１３は、軸方向と直交する方向に突出する突起１３ｓを設けている。第２シェル２３は、突起１３ｓを案内するらせん溝２３ｓを設けている。そして、プラグ１を所定角度回動すると、ピンコンタクト１１の先端部は、可動コンタクト２ａを固定コンタクト２ｂから離間する方向に変位させる（図９参照）。
【００５０】
図２において、外部アンテナ３の軸中心とプラグ１の軸中心とは、直交している。そして、外部アンテナ３の基端部とプラグ１の基端部とが接続金具３１で結合されている。外部アンテナ３は、比較的短い同軸ケーブル３ａを介して接続している。同軸ケーブル３ａも外部アンテナ３に含むことができる。
【００５１】
図１から図４において、第１シェル１３は、その中心線に沿って半分に分割された半円弧状の第１及び第２分割円筒１３ａ・１３ｂで構成されている。プラグ１は、外部アンテナ３を被覆するアンテナカバー５を備えている。アンテナカバー５は、その中心線に沿って半分に分割された一対の第１及び第２アンテナカバー５ａ・５ｂで構成されている。そして、第１及び第２分割円筒１３ａ・１３ｂは、第１及び第２アンテナカバー５ａ・５ｂの一部を構成している。
【００５２】
一方、図１から図４において、第２シェル２３は、その中心線に沿って半分に分割された半円弧状の第３及び第４分割円筒２３ａ・２３ｂで構成されている。ＰＣカード４の一端側を絶縁可能に囲うカバー６を備えている。カバー６は、半分に分割された一対の第３及び第４カバー６ａ・６ｂで構成されている。そして、第３及び第４分割円筒２３ａ・２３ｂは、第３及び第４分割円筒２３ａ・２３ｂの一部を構成している。
【００５３】
図７から図９において、可動コンタクト２ａは、可動子２１１と固定子２１２とで構成されている。そして、可動コンタクト２ａの固定子２１２は、プリント基板４ｃに「はんだ」接合されて固定されている。可動コンタクト２ａの可動子２１１が固定コンタクト２ｂに一定の接触圧を付与して、つまり可動コンタクト２ａが弾性的に当接して、電気的に接続している。
【００５４】
図７から図９において、固定コンタクト２ｂは、板体で構成されている。固定コンタクト２ｂの基端部がプリント基板４ｃに「はんだ」接合されて固定されている。そして、固定コンタクト２ｂの先端部に可動コンタクト２ａの接点が付勢されている。
【００５５】
図７から図９において、ハウジング２１は、一端側が円筒部２１ｂを形成し、他端側が四角柱部２１ｃを形成している。円筒部２１ｂの外周の一部は、弦を形成しており、円筒部２１ｂの内壁において、固定コンタクト２ｂが当接するように配置されている。又、四角柱部２１ｃには、相反する向きに一対の溝２１ｄ・２１ｄを設けている。そして、一対の溝２１ｄ・２１ｄは、プリント基板４ｃの端部に形成された切り欠き４ｄの両翼に嵌合できる。
【００５６】
図７から図９において、第２筒形コンタクト２２は、一端側が円筒部２２ｂを形成し、他端側が四角柱部２２ｃを形成している。そして、四角柱部２２ｃの両翼に一対のタブ部２２ｄ・２２ｄを延出している。第２筒形コンタクト２２の内部は空洞となっており、ハウジング２１が内装される。一対のタブ部２２ｄ・２２ｄがプリント基板４ｃに「はんだ」接合されて固定されることにより、ハウジング２１もプリント基板４ｃに保持される。なお、第２筒形コンタクト２２は、プリント基板４ｃのグラウンドパターンに接続される（図２参照）。
【００５７】
次に、本発明によるコネクタの作用を説明する。図１から図４において、コネクタ１０は、外部アンテナ３を設けるプラグ１と、内部アンテナ４ｂと接続するスイッチ２０（図７参照）が設けられたソケット２とを離間困難に回転結合している。又、プラグ１の回転運動が進退運動に変換されるように、プラグ１とソケット２とでカム装置を構成している。そして、外部アンテナ３を回動することにより、スイッチ２０を切り換えることができる。
【００５８】
図７において、内部アンテナ４ｂを使用するときは、可動コンタクト２ａと固定コンタクト２ｂとが電気的に接続してよく、可動コンタクト２ａが固定コンタクト２ｂに接触してオン状態になっている（図８参照）。そして、図９に示されるように、可動コンタクト２ａを固定コンタクト２ｂから離間する方向に変位させる力が作用すると、可動コンタクト２ａが固定コンタクト２ｂと電気的に切り離されたオフ状態になる。このように、可動コンタクト２ａと固定コンタクト２ｂとは、電気的なスイッチを構成している。
【００５９】
図６に示されるように、外部アンテナ３を立設した状態では、コネクタ１０は、プラグ１とソケット２とが相対的に近づいて、スイッチ２０がオフ（断）になる（図９参照）。そして、内部アンテナ４ｂから外部アンテナ３に切り換えることができる（図２参照）。一方、図１に示されるように、外部アンテナ３を倒置した状態では、プラグ１とソケット２とが相対的に離反して、スイッチ２０がオン（接）になる（図８参照）。そして、外部アンテナ３から内部アンテナ４ｂに切り換えることができる（図２参照）。
【００６０】
本発明によるアンテナ用コネクタは、外部アンテナを設けるプラグとスイッチ付きソケットとを離間困難に回転結合し、プラグの回転運動が進退運動に変換されるように、プラグとスイッチ付きソケットとでカム装置を構成して、外部アンテナを回動することにより、ソケットに備わるスイッチを切り換えているので、内部アンテナと外部アンテナとの切り換えが容易であり、比較的短い棒状の外部アンテナを直結できるアンテナ用コネクタを提供できる。
【００６１】
本発明によるアンテナ用コネクタは、プラグはソケットから容易に離間しない。プラグは、ソケットに対してらせん運動のみが許容される。本発明によるアンテナ用コネクタは、外部アンテナを立設した状態では、プラグとソケットとが相対的に近づいて、スイッチがオフ（断）になってよく、内部アンテナから外部アンテナに切り換えることができる。外部アンテナを倒置した状態では、プラグとソケットとが相対的に離反して、スイッチがオン（接）になってよく、外部アンテナから内部アンテナに切り換えることができる。
【００６２】
本発明によるアンテナ用コネクタは、外部アンテナを設けるプラグとスイッチ付きソケットとを離間困難に回転結合し、プラグの回転運動が進退運動に変換されるように、プラグとスイッチ付きソケットとでバヨネットカップリングを構成して、ソケットに備わるスイッチを切り換えているので、内部アンテナと外部アンテナとの切り換えが容易であり、比較的短い棒状の外部アンテナを直結できるアンテナ用コネクタを提供できる。
【００６３】
本発明によるアンテナ用コネクタは、無線通信用のＰＣカードに備えられてよく、携帯用の電子機器に備えられてよく、内部アンテナと外部アンテナとの切り換えが容易である。
【図面の簡単な説明】
【００６４】
【図１】本発明によるアンテナ用コネクタの一実施形態を示す斜視外観図である。
【図２】前記実施形態によるアンテナ用コネクタの斜視分解組立図である。
【図３】前記実施形態によるアンテナ用コネクタの斜視外観図であり、プラグとソケットが分離した状態図である。
【図４】前記実施形態によるアンテナ用コネクタの要部を拡大した斜視外観図であり、プラグとソケットが分離した状態図である。
【図５】前記実施形態によるアンテナ用コネクタの要部を拡大した斜視外観図であり、プラグとソケットが結合した状態図である。
【図６】前記実施形態によるアンテナ用コネクタの斜視外観図であり、外部アンテナが立設した状態図である。
【図７】前記実施形態によるアンテナ用コネクタにおけるソケットの斜視分解組立図である。
【図８】前記実施形態によるアンテナ用コネクタの要部横断面図であり、ソケットに備わるスイッチがオンの状態図である。
【図９】前記実施形態によるアンテナ用コネクタの要部横断面図であり、ソケットに備わるスイッチがオフの状態図である。
【図１０】従来技術によるアンテナ用コネクタの接続状態を示す斜視外観図である。
【符号の説明】
【００６５】
１  プラグ
２  ソケット
２ａ  可動コンタクト
２ｂ  固定コンタクト
３  外部アンテナ
４ｂ  内部アンテナ
１０  コネクタ
１１  ピンコンタクト
１２  第１筒形コンタクト
１３  第１シェル
１３ｓ  突起
２０  スイッチ
２１  ハウジング
２２  第２筒形コンタクト
２３  第２シェル
２３ｓ  らせん溝
【図１】
2009032604.tif 000003
【図２】
2009032604.tif 000004
【図３】
2009032604.tif 000005
【図４】
2009032604.tif 000006
【図５】
2009032604.tif 000007
【図６】
2009032604.tif 000008
【図７】
2009032604.tif 000009
【図８】
2009032604.tif 000010
【図９】
2009032604.tif 000011
【図１０】
2009032604.tif 000012